(57)【要約】  【課題】  バッグ本体を小型バッグに、折り畳んで収納する時、バッグ本体の表側の汚れで小型バッグの内部が汚れないようにする。  【解決手段】  バッグ本体に小型バッグを設け、小型バッグ内にバッグ本体を小さく折り畳んで収納可能とする。小型バッグは、第１の収納片と、該第１の収納片の結合部と結合して袋体を形成する第２の収納片と、第１の収納片の結合部に取り付けられた第１のエレメントと、第２の収納片の結合部に取り付けられた第２のエレメントと、第１と第２のエレメントを噛み合わせたり離したりするためのスライダとを備えている。第１の収納片１２はバッグ本体の裏側に設けられている。バッグ本体を裏返して小型バッグをバッグ本体の外側に出し、小型バッグの第２の収納片を裏返し、該裏返した第２の収納片を第１の収納片に重ねて第１の収納片と第２の収納片との間に形成される袋の中に裏返したバッグ本体を小さく折り畳んで収納可能とする。【選択図】図１
0003127882.tif 000002
【実用新案登録請求の範囲】
【請求項１】
柔軟性のあるシート状の素材からなり内部に物を収納可能なバッグ本体２に小型バッグ１０を設け、該小型バッグ１０内に前記バッグ本体２を小さく折り畳んで収納可能とした折り畳み自在バッグであって、前記小型バッグ１０は、第１の収納片１２と、該第１の収納片１２の結合部と結合して袋体を形成する第２の収納片１４と、前記第１の収納片１２の結合部に取り付けられた第１のエレメント１６と、前記第２の収納片１４の結合部に取り付けられた第２のエレメント１８と、前記第１と第２のエレメント１６，１８を噛み合わせたり離したりするためのスライダ２０，２２とを備え、前記第１の収納片１２を前記バッグ本体２の裏側に設け、前記バッグ本体２を裏返して前記小型バッグ１０を前記バッグ本体２の外側に出し、前記小型バッグ１０の第２の収納片１４を裏返し、該裏返した第２の収納片１４を前記第１の収納片１２に重ねて第１の収納片１２と第２の収納片１４との間に形成される袋の中に前記裏返したバッグ本体２を小さく折り畳んで収納可能としたことを特徴とする折り畳み自在バッグ。
【請求項２】
前記第１の収納片１２は、前記バッグ本体２の裏地と該裏地に前記小型バッグ１０の外形の輪郭に沿って縫着したマチ１２ｂとから成り、該マチ１２ｂが前記第１の収納片１２の結合部を構成し、該マチ１２ｂに前記第１のエレメント１６を取り付けたことを特徴とする請求項１に記載の折り畳み自在バッグ。
【請求項３】
前記第２の収納片１４の主要部１４ａにマチ１４ｂを縫着し、該マチ１４ｂを前記第２の収納片１４の結合部とし、該マチ１４ｂに前記第２のエレメント１８を取り付けたことを特徴とする請求項１に記載の折り畳み自在バッグ。
【請求項４】
前記スライダ２０，２２は前記第１と第２のエレメント１６，１８に一対取り付けられ、該一対のスライダ２０，２２によって前記小型バッグ１０を第１と第２の収納片１２，１４の連結部間をポケット口２６を残して閉じることができるように成し、前記バッグ本体２の裏側の小型バッグ１０をバッグ本体２のインナーポケットとして使用可能としたことを特徴とする請求項３に記載の折り畳み自在バッグ。
【請求項５】
前記小型バッグ１０の内側に提げ手２４を取り付けたことを特徴とする請求項１に記載の折り畳み自在バッグ。
【考案の詳細な説明】
【技術分野】
【０００１】
本考案は、バッグ本体に小型バッグを取り付け、バッグ本体を使用しないときは、小さく折り畳んで小型バッグに収納可能とした折り畳み自在バッグに関する。
【背景技術】
【０００２】
バッグ本体に小型バッグを取り付け、バッグ本体を使用しないときは、小さく折り畳んで小型バッグに収納可能とした折り畳み自在バッグは従来種々の構造のものが知られている（例えば特許文献１参照）。
【特許文献１】実開平６−５５４２６号公報
【考案の開示】
【考案が解決しようとする課題】
【０００３】
従来のこの種の折り畳み自在バッグはいずれもバッグ本体を小さく折り畳むときバッグ本体の表側が外に出た状態となる。そのため、バック本体を小型バッグに収納するとき、バッグ本体の表側に付いた汚れが小型バッグの内部を汚してしまうという問題点があった。
本考案の主たる目的は上記問題点を解決することである。
また本考案の他の目的は、バッグ本体を収納するための小型バッグをバッグ本体のインナーポケットとして利用できるようにすることである。
【課題を解決するための手段】
【０００４】
上記目的を達成するため本考案は、柔軟性のあるシート状の素材からなり内部に物を収納可能なバッグ本体２に小型バッグ１０を設け、該小型バッグ１０内に前記バッグ本体２を小さく折り畳んで収納可能とした折り畳み自在バッグであって、前記小型バッグ１０は、第１の収納片１２と、該第１の収納片１２の結合部と結合して袋体を形成する第２の収納片１４と、前記第１の収納片１２の結合部に取り付けられた第１のエレメント１６と、前記第２の収納片１４の結合部に取り付けられた第２のエレメント１８と、前記第１と第２のエレメント１６，１８を噛み合わせたり離したりするためのスライダ２０，２２とを備え、前記第１の収納片１２を前記バッグ本体２の裏側に設け、前記バッグ本体２を裏返して前記小型バッグ１０を前記バッグ本体２の外側に出し、前記小型バッグ１０の第２の収納片１４を裏返し、該裏返した第２の収納片１４を前記第１の収納片１２に重ねて第１の収納片１２と第２の収納片１４との間に形成される袋の中に前記裏返したバッグ本体２を小さく折り畳んで収納可能としたものである。
また本考案は、前記第１の収納片１２は、前記バッグ本体２の裏地と該裏地に前記小型バッグ１０の外形の輪郭に沿って縫着したマチ１２ｂとから成り、該マチ１２ｂが前記第１の収納片１２の結合部を構成し、該マチ１２ｂに前記第１のエレメント１６を取り付けたことを特徴とする。
また本考案は、前記第２の収納片１４の主要部１４ａにマチ１４ｂを縫着し、該マチ１４ｂを前記第２の収納片１４の結合部とし、該マチ１４ｂに前記第２のエレメント１８を取り付けたことを特徴とする。
また本考案は、前記スライダ２０，２２は前記第１と第２のエレメント１６，１８に一対取り付けられ、該一対のスライダ２０，２２によって前記小型バッグ１０を第１と第２の収納片１２，１４の連結部間をポケット口２６を残して閉じることができるように成し、前記バッグ本体２の裏側の小型バッグ１０をバッグ本体２のインナーポケットとして使用可能としたことを特徴とする。
また本考案は、前記小型バッグ１０の内側に提げ手２４を取り付けたことを特徴とするものである。
【考案の効果】
【０００５】
本考案は、バッグ本体を裏返した状態で折り畳み、小型バッグに収納できるので、バッグ本体の表側に付いた汚れによって小型バッグの中が汚れるのを防止できる。
また、通常は小型バッグをバッグ本体のインナーポケットとして利用することができる。
【考案を実施するための最良の形態】
【０００６】
以下に本考案の実施の形態を添付した図面を参照して詳細に説明する。
図６は本考案に係る折り畳み自在バッグの折り畳む前の通常の使用状態を示している。バッグ本体２は、柔軟性のある合成樹脂や布等のシート材から成り、正面部２ａ、該正面部２ａと同形の背面部（図示省略）、右側面部２ｂ、左側面部２ｃ、及び底面部（図示省略）から構成され、各構成部は、略長方形から成り、これらが縫合されて、上部が開放された袋体を構成している。
【０００７】
前記正面部２ａと背面部の上縁部にはそれぞれベルト状部材の両端が縫着され、これらは提げ手４を構成している。前記バッグ本体２の底面部は、前記側面部２ｂ，２ｃに比し比較的幅狭の細長い略四角形のシート材から構成されている。前記左右側面部２ｂ，２ｃの表側には、それぞれ、ポケット構成シートが縫合され、上部が開口するポケット６，８が形成されている。前記バッグ本体２は、左右の側面部２ｂ，２ｃを中央から２つに外側に折り重ね、正面部２ａと背面部を重ね合わせることで、全体が長方形の薄い板状となるように構成されている。
【０００８】
図１は、バッグ本体２を裏返した状態を示している。前記正面部２ａの裏側の上部には、小型バッグ１０が取り付けられている。小型バッグ１０は、図２に示すように、第１の収納片１２と第２の収納片１４とから構成されている。本実施形態では、第１の収納片１２の主要部１２ａは、バッグ本体２の正面部２ａの裏地の一部から構成され、このバッグ本体２の裏地が小型バッグ１０の第１の収納片１２を兼用している。
【０００９】
第２の収納片１４は、バッグ本体２の正面部２ａの裏地とは独立した別個のシート片により構成されている。前記第１の収納片１２の主要部１２ａの周囲には、帯状のマチ１２ｂが配置され、該マチ１２ｂは、前記正面部２ａの上縁に対して所定の長さを有し該上縁に対して平行な部分ａと、前記正面部２ａの両側縁の近傍でこれらに対して平行な両側部分ｂ，ｂと、前記両側部分ｂ，ｂの下端と連続し、該両側部分ｂ，ｂに対して内側の直角方向に突出した下辺部分ｃ，ｃが形成されるように、前記正面部２ａの裏側に、該マチ１２ｂの長手方向に沿った一辺部が縫着されている。
【００１０】
前記正面部２ａの裏地には、前記マチ１２ｂの下辺部分ｃ，ｃ間に位置して第２の収納片１４の一辺ｄが縫着されている。該第２の収納片１４の主要部１４ａの周囲には、前記マチ１２ｂと同一形状の帯状のマチ１４ｂの側縁が縫着されている。前記マチ１２ｂ，１４ｂの他側縁部には、それぞれファスナーを構成するエレメント１６，１８（務歯部）が取り付けられている。前記エレメント１６，１８間には、２個の、エレメント１６，１８を噛み合わせたり離したりするためのスライダ２０，２２が取り付けられている。
【００１１】
前記小型バッグ１０の内側の底部には、帯状部材からなる提げ手２４が取り付けられている。前記マチ１２ｂ，１４ｂは、第１と第２の収納片１２，１４の結合部を構成し、該結合部間には前記エレメント１６，１８によって開閉自在な開口部が形成されている。前記小型バッグ１０は、通常は、上部が開口されてポケット口２６を形成し、バッグ本体２のインナーポケットとして使用される。
次に、小型バッグ１０にバッグ本体２を折り畳んで収納する場合の手順について説明する。
【００１２】
まず、図１に示すように、バッグ本体２を裏返して小型バッグ１０を外側に出す。次に、スライダ２０，２２を小型バッグ１０の底部の左右の始端位置まで移動し、収納片１２，１４の周囲のエレメント１６，１８から成る開口部を開き、第２の収納片１４を第１の収納片１２の延長平面上に展開可能な状態とする。次に、図２に示すように、第２の収納片１４をその一辺ｄを中心にして、１８０度展開方向に折り返し、収納片１４の裏側を外側に出すとともに、提げ手２４を外側に出す。
【００１３】
次に、バッグ本体２を、図３に示すように、同一平面上に展開した第１と第２の収納片１２，１４の裏側の領域に収まるように、バッグ本体２を小さく折り畳む。次に、折り畳んだバッグ本体２を、図４に示すように、第１と第２の収納片１２，１４の境界を中心として、該第１と第２の収納片１２，１４を、バッグ本体２を包むように２つに折り畳む。次に、スライダ２０，２２を始点から収納片１２，１４の周囲に沿って移動して、図５に示すように、開口部を閉じる。
【００１４】
これにより、裏返しの状態で折り畳まれたバッグ本体２は、小型バッグ１０内に収納される。小型バッグ１０は、図６に示す、インナーポケットの状態から、図５に示す、提げ手２４を有する、小型バッグ１０となる。この小型バッグ１０は、その中に収納されたバッグ本体２とともに、所要の小物も収納することができる。
【図面の簡単な説明】
【００１５】
【図１】バッグ本体を裏返した状態の正面図である。
【図２】バッグ本体を裏返し小型バッグを展開した状態の正面図である。
【図３】展開した小型バッグの裏側にバッグ本体を折り畳んだ状態の側面図である。
【図４】小型バッグを裏返した状態の側面図である。
【図５】バッグ本体を小型バッグに収納した状態の外観図である。
【図６】バッグ本体の正面図である。
【符号の説明】
【００１６】
２      バッグ本体
４      提げ手
６      ポケット
８      ポケット
１０    小型バッグ
１２    第１の収納片
１４    第２の収納片
１６    エレメント
１８    エレメント
２０    スライダ
２２    スライダ
２４    提げ手
２６    ポケット口
【図１】
0003127882.tif 000003
【図２】
0003127882.tif 000004
【図３】
0003127882.tif 000005
【図４】
0003127882.tif 000006
【図５】
0003127882.tif 000007
【図６】
0003127882.tif 000008